(57)【要約】【課題】利用者が簡単な手続きで利用できる駐車場シェアリング・サービスを実現する店舗端末を提供する。【解決手段】駐車場シェアリング・サービスに供された車室を予約する情報である予約情報をパーキングシェアサーバに送信する予約情報送信部と、予約情報に対応する識別情報であるＩＤをパーキングシェアサーバから受信するＩＤ受信部と、車室への駐車開始を示す駐車開始情報を対応するＩＤと共にパーキングシェアサーバに送信する駐車開始情報送信部と、車室の駐車料金の割引に関する情報である割引情報を対応するＩＤと共にパーキングシェアサーバに送信する割引情報送信部と、車室への駐車終了を示す駐車終了情報を対応するＩＤと共にパーキングシェアサーバに送信する駐車終了情報送信部と、車室の駐車料金の決済に関する情報であって駐車開始情報、割引情報、駐車終了情報に基づく決済情報をパーキングシェアサーバから受信する決済情報受信部を含む。【選択図】図３
2019079286.tif 000002
【特許請求の範囲】
【請求項１】
駐車場シェアリング・サービスに供された車室を予約する情報である予約情報を、パーキングシェアサーバに送信する予約情報送信部と、
前記予約情報に対応する識別情報であるＩＤを、前記パーキングシェアサーバから受信するＩＤ受信部と、
前記車室への駐車開始を示す駐車開始情報を、対応する前記ＩＤと共に前記パーキングシェアサーバに送信する駐車開始情報送信部と、
前記車室の駐車料金の割引に関する情報である割引情報を、対応する前記ＩＤと共に前記パーキングシェアサーバに送信する割引情報送信部と、
前記車室への駐車終了を示す駐車終了情報を、対応する前記ＩＤと共に前記パーキングシェアサーバに送信する駐車終了情報送信部と、
前記車室の駐車料金の決済に関する情報であって、前記駐車開始情報、前記割引情報、前記駐車終了情報に基づく決済情報を、前記パーキングシェアサーバから受信する決済情報受信部を含む
店舗端末。
【請求項２】
請求項１に記載の店舗端末であって、
前記決済情報は、
前記割引情報を送信した前記店舗端末に対して、送信した前記割引情報に該当する金額を請求する旨の情報を含み、前記駐車終了情報を送信した前記店舗端末に対して、他の前記店舗端末が送信した前記割引情報に該当する金額を全て前記駐車料金から差し引いた残余の金額を請求する旨の情報を含む
店舗端末。
【請求項３】
駐車場シェアリング・サービスに供された車室を予約する情報である予約情報を、店舗端末から受信する予約情報受信部と、
前記予約情報に対応する識別情報であるＩＤを生成するＩＤ生成部と、
前記ＩＤを、前記店舗端末に送信するＩＤ送信部と、
前記車室への駐車開始を示す駐車開始情報を、対応する前記ＩＤと共に前記店舗端末から受信する駐車開始情報受信部と、
前記車室の駐車料金の割引に関する情報である割引情報を、対応する前記ＩＤと共に前記店舗端末から受信する割引情報受信部と、
前記車室への駐車終了を示す駐車終了情報を、対応する前記ＩＤと共に前記店舗端末から受信する駐車終了情報受信部と、
前記駐車開始情報、前記割引情報、前記駐車終了情報に基づいて、前記車室の駐車料金の決済に関する情報である決済情報を生成する決済情報生成部と、
前記決済情報を前記店舗端末に送信する決済情報送信部を含む
パーキングシェアサーバ。
【請求項４】
請求項３に記載のパーキングシェアサーバであって、
前記決済情報生成部は、
前記割引情報を送信した前記店舗端末に対して、送信した前記割引情報に該当する金額を請求する旨の情報を含み、前記駐車終了情報を送信した前記店舗端末に対して、他の前記店舗端末が送信した前記割引情報に該当する金額を全て前記駐車料金から差し引いた残余の金額を請求する旨の情報を含むように、前記決済情報を生成する
パーキングシェアサーバ。
【請求項５】
店舗端末と、パーキングシェアサーバを含むパーキングシェアシステムであって、
前記店舗端末は、
駐車場シェアリング・サービスに供された車室を予約する情報である予約情報を、前記パーキングシェアサーバに送信する予約情報送信部と、
前記予約情報に対応する識別情報であるＩＤを、前記パーキングシェアサーバから受信するＩＤ受信部と、
前記車室への駐車開始を示す駐車開始情報を、対応する前記ＩＤと共に前記パーキングシェアサーバに送信する駐車開始情報送信部と、
前記車室の駐車料金の割引に関する情報である割引情報を、対応する前記ＩＤと共に前記パーキングシェアサーバに送信する割引情報送信部と、
前記車室への駐車終了を示す駐車終了情報を、対応する前記ＩＤと共に前記パーキングシェアサーバに送信する駐車終了情報送信部と、
前記車室の駐車料金の決済に関する情報であって、前記駐車開始情報、前記割引情報、前記駐車終了情報に基づく決済情報を、前記パーキングシェアサーバから受信する決済情報受信部を含み、
前記パーキングシェアサーバは、
前記予約情報を、前記店舗端末から受信する予約情報受信部と、
前記識別情報であるＩＤを生成するＩＤ生成部と、
前記ＩＤを、前記店舗端末に送信するＩＤ送信部と、
前記駐車開始情報を、対応する前記ＩＤと共に前記店舗端末から受信する駐車開始情報受信部と、
前記割引情報を、対応する前記ＩＤと共に前記店舗端末から受信する割引情報受信部と、
前記駐車終了情報を、対応する前記ＩＤと共に前記店舗端末から受信する駐車終了情報受信部と、
前記駐車開始情報、前記割引情報、前記駐車終了情報に基づいて、前記決済情報を生成する決済情報生成部と、
前記決済情報を前記店舗端末に送信する決済情報送信部を含む
パーキングシェアシステム。
【請求項６】
請求項５に記載のパーキングシェアシステムであって、
前記決済情報生成部は、
前記割引情報を送信した前記店舗端末に対して、送信した前記割引情報に該当する金額を請求する旨の情報を含み、前記駐車終了情報を送信した前記店舗端末に対して、他の前記店舗端末が送信した前記割引情報に該当する金額を全て前記駐車料金から差し引いた残余の金額を請求する旨の情報を含むように、前記決済情報を生成する
パーキングシェアシステム。
【請求項７】
店舗端末が実行する決済情報受信方法であって、
駐車場シェアリング・サービスに供された車室を予約する情報である予約情報を、パーキングシェアサーバに送信するステップと、
前記予約情報に対応する識別情報であるＩＤを、前記パーキングシェアサーバから受信するステップと、
前記車室への駐車開始を示す駐車開始情報を、対応する前記ＩＤと共に前記パーキングシェアサーバに送信するステップと、
前記車室の駐車料金の割引に関する情報である割引情報を、対応する前記ＩＤと共に前記パーキングシェアサーバに送信するステップと、
前記車室への駐車終了を示す駐車終了情報を、対応する前記ＩＤと共に前記パーキングシェアサーバに送信するステップと、
前記車室の駐車料金の決済に関する情報であって、前記駐車開始情報、前記割引情報、前記駐車終了情報に基づく決済情報を、前記パーキングシェアサーバから受信するステップを含む
決済情報受信方法。
【請求項８】
請求項７に記載の決済情報受信方法であって、
前記決済情報は、
前記割引情報を送信した前記店舗端末に対して、送信した前記割引情報に該当する金額を請求する旨の情報を含み、前記駐車終了情報を送信した前記店舗端末に対して、他の前記店舗端末が送信した前記割引情報に該当する金額を全て前記駐車料金から差し引いた残余の金額を請求する旨の情報を含む
決済情報受信方法。
【請求項９】
パーキングシェアサーバが実行する決済情報生成方法であって、
駐車場シェアリング・サービスに供された車室を予約する情報である予約情報を、店舗端末から受信するステップと、
前記予約情報に対応する識別情報であるＩＤを生成するステップと、
前記ＩＤを、前記店舗端末に送信するステップと、
前記車室への駐車開始を示す駐車開始情報を、対応する前記ＩＤと共に前記店舗端末から受信するステップと、
前記車室の駐車料金の割引に関する情報である割引情報を、対応する前記ＩＤと共に前記店舗端末から受信するステップと、
前記車室への駐車終了を示す駐車終了情報を、対応する前記ＩＤと共に前記店舗端末から受信するステップと、
前記駐車開始情報、前記割引情報、前記駐車終了情報に基づいて、前記車室の駐車料金の決済に関する情報である決済情報を生成するステップと、
前記決済情報を前記店舗端末に送信するステップを含む
決済情報生成方法。
【請求項１０】
請求項９に記載の決済情報生成方法であって、
前記決済情報は、
前記割引情報を送信した前記店舗端末に対して、送信した前記割引情報に該当する金額を請求する旨の情報を含み、前記駐車終了情報を送信した前記店舗端末に対して、他の前記店舗端末が送信した前記割引情報に該当する金額を全て前記駐車料金から差し引いた残余の金額を請求する旨の情報を含む
決済情報生成方法。
【請求項１１】
コンピュータを、請求項１または２に記載の店舗端末として機能させるプログラム。
【請求項１２】
コンピュータを、請求項３または４に記載のパーキングシェアサーバとして機能させるプログラム。
【発明の詳細な説明】
【技術分野】
【０００１】
本発明は、駐車場シェアリング・サービスに用いられる店舗端末、パーキングシェアサーバ、パーキングシェアシステム、決済情報受信方法、決済情報生成方法、プログラムに関する。
【背景技術】
【０００２】
個人のカーポート、駐車スペース、更地などを、駐車を希望する利用者とマッチングすることで、駐車場として貸し出す「駐車場シェアリング・サービス」が知られている（非特許文献１）。駐車場シェアリング・サービスは、インターネットを通じて提供されるサービスであり、利用者はスマートフォンやＰＣを通じて上記サービスを利用することができる。
【先行技術文献】
【非特許文献】
【０００３】
【非特許文献１】岡田 豊、“「駐車場シェア」が日本のビジネスを変える？”、［online］、平成 29年 7月 11日、YOMIURI ONLINE、［平成 29年 8月 23日検索］、インターネット〈 URL：http://www.yomiuri.co.jp/fukayomi/ichiran/20170710-OYT8T50087.html〉
【発明の概要】
【発明が解決しようとする課題】
【０００４】
上記の駐車場シェアリング・サービスは便利なサービスではあるものの、スマートフォンやＰＣによる手続きを煩雑と感じる利用者もいる。
【０００５】
一方、小規模な店舗などは顧客に利用させるための自前の駐車場を所有していない場合があり、これが原因して顧客の来店機会が減少している可能性がある。
【０００６】
例えば、上記の駐車場シェアリング・サービスを利用者が簡単な手続きで利用できれば、自前の駐車場を所有していない店舗に対して、一定の集客効果を奏すると考えられる。
【０００７】
そこで本発明では、利用者が簡単な手続きで利用できる駐車場シェアリング・サービスを実現する店舗端末を提供することを目的とする。
【課題を解決するための手段】
【０００８】
本発明の店舗端末は、予約情報送信部と、ＩＤ受信部と、駐車開始情報送信部と、割引情報送信部と、駐車終了情報送信部と、決済情報受信部を含む。
【０００９】
予約情報送信部は、駐車場シェアリング・サービスに供された車室を予約する情報である予約情報を、パーキングシェアサーバに送信する。ＩＤ受信部は、予約情報に対応する識別情報であるＩＤを、パーキングシェアサーバから受信する。駐車開始情報送信部は、車室への駐車開始を示す駐車開始情報を、対応するＩＤと共にパーキングシェアサーバに送信する。割引情報送信部は、車室の駐車料金の割引に関する情報である割引情報を、対応するＩＤと共にパーキングシェアサーバに送信する。駐車終了情報送信部は、車室への駐車終了を示す駐車終了情報を、対応するＩＤと共にパーキングシェアサーバに送信する。決済情報受信部は、車室の駐車料金の決済に関する情報であって、駐車開始情報、割引情報、駐車終了情報に基づく決済情報を、パーキングシェアサーバから受信する。
【発明の効果】
【００１０】
本発明の店舗端末によれば、利用者が簡単な手続きで利用できる駐車場シェアリング・サービスを実現することができる。
【図面の簡単な説明】
【００１１】
【図１】実施例１のパーキングシェアシステムの構成全体を示すブロック図。
【図２】実施例１の店舗端末のハードウェア構成のバリエーションを説明する図。
【図３】実施例１の店舗端末の構成を示すブロック図。
【図４】実施例１の店舗端末の動作を示すフローチャート。
【図５】実施例１のパーキングシェアサーバの構成を示すブロック図。
【図６】実施例１のパーキングシェアサーバの動作を示すフローチャート。
【図７】実施例１のパーキングシェアシステムの動作例を示す第１シーケンス図。
【図８】実施例１のパーキングシェアシステムの動作例を示す第２シーケンス図。
【図９】実施例１のパーキングシェアシステムの動作例を示す第３シーケンス図。
【図１０】実施例１のパーキングシェアシステムの動作例を示す第４シーケンス図。
【図１１】変形例１のパーキングシェアシステムの構成全体を示すブロック図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
以下、図１を参照して実施例１のパーキングシェアシステムの構成を説明する。図１に示すように、本実施例のパーキングシェアシステム１は、ＩＤ記録媒体１１と、Ｎ台（Ｎは１以上の自然数）の店舗端末１２−１、…、１２−ｎ、…、１２−Ｎ（これらを区別しない場合には店舗端末１２と総称する）と、パーキングシェアサーバ１３を含んで構成される。以下に各構成要件と用語の定義を行う。
【００１４】
＜ＩＤ記録媒体１１＞
ＩＤ記録媒体１１は、後述するＩＤを記録する媒体全般である。ＩＤ記録媒体１１は、ＩＤそのもの、ＩＤのバーコード情報、ＩＤのＱＲコード情報（登録商標）などを印刷した紙であってもよいし、ＩＤを記録した磁気ストライプカード、ＩＣカードの類であってもよいし、ＩＤを記録したスマートフォン、タブレット、スマートウォッチの類でもよい。ＩＤ記録媒体１１は、各利用者が常に所持、携行しているものとする。
【００１５】
≪ＩＤ≫
ＩＤは、後述するパーキングシェアサーバ１３に対して車室を予約する手続きを実行する際に、当該予約に紐づけて発行される識別情報である。このＩＤは、後述する各種の情報の紐付けに用いられる。
【００１６】
＜店舗端末１２＞
店舗端末１２は、店舗が管理する端末である。図２Ａに示すように、店舗端末１２は、例えばコンピュータ１２ｃであってもよい。また、ＩＤ通信装置１２ａ、キャシュレジ１２ｂ、コンピュータ１２ｃからなるハードウェアの集合体を店舗端末１２と呼んでもよいし、ＩＤ通信装置１２ａ、キャシュレジ１２ｂ、コンピュータ１２ｃの一部または全部の機能を含む一つのハードウェア（例えばタブレット端末）を店舗端末１２と呼んでもよい。図２Ｂに示すように、場合に応じてＩＤ通信装置１２ａを印刷機１２ｄに代替してもよいし、図２Ａの構成に印刷機１２ｄを追加してもよい。
【００１７】
各店舗には少なくとも一台の対応する店舗端末１２が存在するものとする。以下では、Ｎ軒の店舗のそれぞれに１台ずつ、合計Ｎ台の店舗端末が存在する場合について述べる。
【００１８】
≪ＩＤ通信装置１２ａ≫
上述したようにＩＤ記録媒体１１がスマートフォン、タブレット、磁気ストライプカード、ＩＣカードなど、ハードウェアで読み書き可能な媒体である場合には、ＩＤ記録媒体１１からＩＤを読み取り、ＩＤ記録媒体にＩＤを書き込む（送信する）装置であるＩＤ通信装置１２ａが必要となる。
【００１９】
≪印刷機１２ｄ≫
上述したようにＩＤ記録媒体１１が紙媒体である場合、ＩＤ記録媒体１１を印刷するハードウェアである印刷機１２ｄが必要となる場合がある。例えば、ＩＤ記録媒体１１をＱＲコードやバーコードなど、ハードウェアで読み取り可能な情報を印刷した紙媒体で実現する場合、上述のＩＤ通信装置１２ａと印刷機１２ｄの双方が必要となる。一方、ＩＤ記録媒体１１に英数字列としてＩＤを印刷し、ＩＤの入力については従業員８の手入力とする場合には、ＩＤ通信装置１２ａを省略し、印刷機１２ｄのみとすることができる。このケースにおいて、従業員８などがＩＤとして呈示された英数字列などを手書きで紙片などにメモしたうえで、当該紙片を利用者９に渡す場合には、印刷機１２ｄも省略可能となる。
【００２０】
＜パーキングシェアサーバ１３＞
パーキングシェアサーバ１３は、上述の駐車場シェアリング・サービスを提供する会社などが管理するサーバである。パーキングシェアサーバ１３は、主に店舗端末１２と通信を行うが、ＩＤ記録媒体１１が通信可能な端末である場合に限り、ＩＤ記録媒体１１とも通信することがある。これについては後述する。
【００２１】
以下、図３を参照して店舗端末１２の構成について説明する。同図に示すように店舗端末１２は、記憶部１２０と、予約情報送信部１２１と、ＩＤ受信部１２２と、ＩＤ出力部１２３と、駐車開始情報送信部１２４と、割引情報送信部１２５と、駐車終了情報送信部１２６と、決済情報受信部１２７と、決済実行部１２８を含む。
【００２２】
以下、図４を参照して各構成要件の動作について説明する。
【００２３】
［記憶部１２０］
記憶部１２０は、受信、送信、生成した各種のデータを記憶する記憶領域である。
【００２４】
［予約情報送信部１２１］
本実施例では、利用者９が店舗に事前に電話連絡して車で来店したい旨を伝えたものとし、電話を受けた従業員８が店舗端末１２から駐車場シェアリング・サービスを提供するｗｅｂサイトや、アプリケーションなどを参照し、ｗｅｂサイトや、アプリケーションなどが呈示するインストラクションに従って、利用者９が利用する車室を予約する状況を想定する。例えば従業員８は、ｗｅｂサイトなどに表示されたサービス提供用の地図を閲覧して、当該店舗に近接する駐車場シェアリング・サービスに供された車室を検索し、検索した車室を指定し、利用開始予定時刻などを入力することで予約情報を生成する。
【００２５】
予約情報送信部１２１は、予約情報が生成されている場合には当該予約情報を、パーキングシェアサーバ１３に送信する（Ｓ１２１）。予約情報送信部１２１は、送信した予約情報を記憶部１２０に記憶する。
【００２６】
なお、従業員８が実行する上述の手続きは、利用者９が行ってもよい。この場合、利用者９は店舗に事前に電話連絡する必要はない。利用者９は、自身のスマートフォンやＰＣを通じて、駐車場シェアリング・サービスを提供するｗｅｂサイトや、アプリケーションを利用し、予約情報を生成することになる。この場合、店舗端末１２からは、予約情報送信部１２１、後述するＩＤ受信部１２２、ＩＤ出力部１２３は省略可能である。
【００２７】
［ＩＤ受信部１２２］
ステップＳ１２１と連動し、ステップＳ１２２が実行される。すなわち、ＩＤ受信部１２２は、予約情報に対応する識別情報であるＩＤを、パーキングシェアサーバ１３から受信する（Ｓ１２２）。このＩＤは、予約が確定した旨の情報とは別に受信されてもよいし、予約が確定した旨の情報と同時に受信されてもよい。ＩＤ受信部１２２は、受信したＩＤを記憶部１２０に記憶する。
【００２８】
［ＩＤ出力部１２３］
ＩＤ出力部１２３は、ＩＤ出力指令がある場合には、該当するＩＤを出力する（Ｓ１２３）。ＩＤ出力指令がある場合とは、典型的には、従業員８などが店舗端末１２を操作してＩＤ出力指令を生成した場合である。例えば、先ほど電話で来店を予約した利用者９が実際に来店し、ＩＤの発行を従業員８に要求している場面などが考えられる。
【００２９】
ＩＤの出力は様々な方法で行われる。例えば、ＩＤ記録媒体１１が紙媒体である場合、ＩＤの出力は、当該紙媒体の印刷に相当する。あるいは、英数字列などで与えられたＩＤを従業員８が紙片などに書きつける場合、ＩＤの出力は、店舗端末１２の表示部（例えばディスプレイ）への表示に相当する。あるいは、ＩＤ記録媒体１１がスマートフォンである場合、ＩＤの出力は、ＩＤ通信装置１２ａからの近距離無線通信信号などの出力に相当する。
【００３０】
［駐車開始情報送信部１２４］
駐車開始情報送信部１２４は、車室への駐車開始を示す駐車開始情報がある場合には、当該駐車開始情報を、対応するＩＤと共にパーキングシェアサーバ１３に送信する（Ｓ１２４）。駐車開始情報送信部１２４は、送信した駐車開始情報とＩＤを記憶部１２０に記憶する。
【００３１】
駐車開始情報がある場合とは、典型的には、従業員８などが店舗端末１２を操作して駐車開始情報を生成した場合である。例えば、利用者９が予約された車室に自分の車を入庫し、店舗に来店し、自分の車を指定の車室に入庫済みであることを従業員８に伝えた場合、従業員８は、店舗端末１２を操作して駐車開始情報を生成することになる。
【００３２】
なお、上記の手順は利用者９の自己申告に依存した手順であるため、利用者９による不正な利用が発生するケースも考えられる。典型的なケースとして、利用者９の自己申告が遅れる、あるいは利用者９が自己申告を怠るケースが考えられる。
【００３３】
これを防ぐために、本システムにｗｅｂカメラを追加してもよい。例えば、駐車場シェアリング・サービスに供される車室の近傍にｗｅｂカメラを設置して車室の現在の様子をｗｅｂカメラで撮影し続けることとし、撮影された映像をインターネット上でリアルタイムに閲覧可能であるようにシステムを構成してもよい。この場合、従業員８は予約した車室に対応する映像を閲覧して、利用者９の車が駐車したのを目視で確認し、店舗端末１２を操作して駐車開始情報を生成すればよい。
【００３４】
あるいは、駐車場シェアリング・サービスに供される車室に簡易なセンサやビーコンを設置し、当該車室の満空状況がインターネット上でリアルタイムに閲覧可能であるようにシステムを構成してもよい。この場合も上述と同様、従業員８は予約した車室の満空状況を目視で確認し、店舗端末１２を操作して駐車開始情報を生成すればよい。上記以外にも、例えば不正な利用が発覚した利用者９に対して、本サービスの利用に関するペナルティを課すなどの方策が考えられる。
【００３５】
なお、ステップＳ１２４は、利用者９のスマートフォンやタブレット端末などが実行してもよい。すなわち、利用者９は自分の車を予約された車室に駐車した後、自身のスマートフォンやタブレット端末を操作して、駐車開始情報を生成する。利用者９のスマートフォンやタブレット端末は、当該駐車開始情報をパーキングサーバ１３に送信する（Ｓ１２４）。
【００３６】
［割引情報送信部１２５］
割引情報送信部１２５は、車室の駐車料金の割引に関する情報である割引情報がある場合には、当該割引情報を、対応するＩＤと共にパーキングシェアサーバ１３に送信する（Ｓ１２５）。割引情報送信部１２５は、送信した割引情報とＩＤを記憶部１２０に記憶する。
【００３７】
割引情報がある場合とは、典型的には、従業員８などが店舗端末１２を操作し割引情報を生成した場合である。例えば店舗において利用者９が使用した金額に応じて駐車料金を割り引くことを予めルールとして決めておくものとする。例えば、店舗に利用者９が来店するだけで、駐車料金を割り引くルールを追加してもよい。また、割引額の上限を設けてもよい。ルールの決め方は任意である。
【００３８】
この場合、利用者９が来店した、当該店舗で所定の金額の買い物をした、飲食をした、あるいはサービスを受けた、などの場合に、上記のルールに基づき、駐車場の割引が発生する。従業員８は利用者９の会計を行う際に、上記のルールに基づいて店舗端末１２に割引情報を入力して生成する。
【００３９】
［駐車終了情報送信部１２６］
駐車終了情報送信部１２６は、車室への駐車終了を示す駐車終了情報がある場合には、当該駐車終了情報を、対応するＩＤと共にパーキングシェアサーバ１３に送信する（Ｓ１２６）。駐車終了情報送信部１２６は、送信した駐車終了情報とＩＤを記憶部１２０に記憶する。
【００４０】
駐車終了情報がある場合とは、典型的には、従業員８などが店舗端末１２を操作して駐車終了情報を生成した場合である。例えば、利用者９が当該店舗を出た後、他の店舗には寄らずに出庫する旨を従業員８に伝えた場合、従業員８は、店舗端末１２を操作して駐車終了情報を生成することになる。
【００４１】
なお、上記の手順は利用者９の自己申告に依存した手順であるため、上述同様、利用者９による不正な利用が発生するケースも考えられる。典型的なケースとして、利用者９が申告通りに出庫せず、駐車を続ける場合などが考えられる。
【００４２】
これを防ぐために、上述同様、本システムにｗｅｂカメラ、センサ、ビーコンなどを設置して利用者９の出庫状況を確認してもよい。上述同様、不正な利用が発覚した利用者９に対して、本サービスの利用に関するペナルティを課してもよい。
【００４３】
なお、ステップＳ１２６は、利用者９のスマートフォンやタブレット端末などが実行してもよい。この場合利用者９は、自分の車を出庫させる際に、自己申告により、自身のスマートフォンやタブレット端末を操作して、駐車終了情報を生成する。利用者９のスマートフォンやタブレット端末は、当該駐車終了情報をパーキングサーバ１３に送信する（Ｓ１２６）。
【００４４】
［決済情報受信部１２７］
決済情報受信部１２７は、決済情報がある場合には、当該決済情報を、パーキングシェアサーバ１３から受信する（Ｓ１２７）。決済情報は、車室の駐車料金の決済に関する情報である。また決済情報は、駐車開始情報、割引情報、駐車終了情報に基づいて、パーキングシェアサーバ１３において生成される情報である。具体的には決済情報は、割引情報を送信した店舗端末１２に対して、送信した割引情報に該当する金額を請求する旨の情報を含み、駐車終了情報を送信した店舗端末１２に対して、他の店舗端末１２が送信した割引情報に該当する金額を全て駐車料金から差し引いた残余の金額を請求する旨の情報を含む。決済情報の生成に関する具体例については後述する。
【００４５】
［決済実行部１２８］
決済実行部１２８は、ステップＳ１２７で受信した決済情報に従って、後述するパーキングシェアサーバ１３の決済実行部１３９と連動して、決済を実行する（Ｓ１２８）。決済実行部１２８は、決済の実行結果などを記憶部１２０に記憶する。前述したように、割引情報を送信した店舗端末１２には、この店舗における割引情報に該当する金額（以下、割引金額）が請求されるため、該当する店舗端末１２は、割引金額の決済処理を行うことになる。従って、割引金額に関しては店側の負担となる。また前述したように、駐車終了情報を送信した店舗端末１２には、駐車料金から他の店舗端末１２が送信した割引金額を差し引いた残りの金額が全て請求されることになるが、これは必ずしも、残りの金額を全て店側の負担とすることを意味しない。例えば、駐車終了情報の送信を担当する店舗において、従業員８はこの店舗を含む全ての店舗における割引情報に該当する金額を全て差し引いた残りの金額を利用者９に請求すれば、店側の負担額は実質的に、この店舗における割引金額のみとなる。
【００４６】
決済の実行例について下表の具体例を用いて説明する。
【００４７】
【表１】
2019079286.tif 000003
【００４８】
例えばある利用者９において駐車料金が合計２０００円である場合に、当該利用者９の駐車料金について店舗端末１２−１から３００円、店舗端末１２−２から３００円、店舗端末１２−３から５００円の割引情報がそれぞれパーキングシェアサーバ１３に送信されているものとする。また店舗端末１２−３からは、当該利用者９について駐車終了情報が送信されているものとする。
【００４９】
この場合、３００円の割引情報を送信した店舗端末１２−１、１２−２は、当該割引情報に該当する金額（＝３００円）を請求する旨の情報を含む決済情報を受信する。この請求金額の内訳は、店側負担額が３００円、利用者負担額が０円となる。一方、駐車終了情報を送信した店舗端末１２−３は、他の店舗端末１２−１、１２−２が送信した割引情報に該当する金額を全て駐車料金（２０００円）から差し引いた残余の金額（２０００円−３００円×２＝１４００円）を請求する旨の情報を含む決済情報を受信する。この請求金額の内訳は、店側負担額が５００円（店舗端末１２−３における割引金額に相当）、利用者負担額が９００円（駐車料金から店舗端末１２−１、１２−２、１２−３における割引金額を全て差し引いた残りの金額）となる。
【００５０】
以下、図５を参照してパーキングシェアサーバ１３の構成について説明する。同図に示すようにパーキングシェアサーバ１３は、記憶部１３０と、予約情報受信部１３１と、ＩＤ生成部１３２と、ＩＤ送信部１３３と、駐車開始情報受信部１３４と、割引情報受信部１３５と、駐車終了情報受信部１３６と、決済情報生成部１３７と、決済情報送信部１３８と、決済実行部１３９を含む。
【００５１】
以下、図６を参照して各構成要件の動作について説明する。パーキングシェアサーバ１３の各構成要件の動作の多くは、店舗端末１２の各構成要件の動作に対応しているため、必要に応じて説明を割愛する。
【００５２】
［記憶部１３０］
記憶部１３０は、受信、送信、生成した各種のデータを記憶する記憶領域である。
【００５３】
［予約情報受信部１３１］
予約情報受信部１３１は、予約情報がある場合には当該予約情報を、店舗端末１２から受信する（Ｓ１３１）。予約情報受信部１３１は、受信した予約情報を記憶部１３０に記憶する。
【００５４】
［ＩＤ生成部１３２］
ＩＤ生成部１３２は、ＩＤを生成する（Ｓ１３２）。ＩＤ生成部１３２は、生成したＩＤを記憶部１３０に記憶する。前述したようにＩＤは予約情報に対応する識別情報であり、予約情報、駐車開始情報、割引情報、駐車終了情報等の各種情報を紐づけて管理するための識別情報である。
【００５５】
［ＩＤ送信部１３３］
ＩＤ送信部１３３は、ステップＳ１３２で生成されたＩＤを、対応する予約情報を送信した店舗端末１２に送信する（Ｓ１３３）。
【００５６】
［駐車開始情報受信部１３４］
駐車開始情報受信部１３４は、駐車開始情報がある場合には当該駐車開始情報を、対応するＩＤと共に店舗端末１２から受信する（Ｓ１３４）。駐車開始情報受信部１３４は、受信した駐車開始情報とこれに対応するＩＤを記憶部１３０に記憶する。
【００５７】
［割引情報受信部１３５］
割引情報受信部１３５は、割引情報がある場合には当該割引情報を、対応するＩＤと共に店舗端末１２から受信する（Ｓ１３５）。割引情報受信部１３５は、受信した割引情報とこれに対応するＩＤを記憶部１３０に記憶する。
【００５８】
［駐車終了情報受信部１３６］
駐車終了情報受信部１３６は、駐車終了情報がある場合には当該駐車終了情報を、対応するＩＤと共に店舗端末１２から受信する（Ｓ１３６）。駐車終了情報受信部１３６は、受信した駐車終了情報とこれに対応するＩＤを記憶部１３０に記憶する。
【００５９】
［決済情報生成部１３７］
決済情報生成部１３７は、決済情報を生成する（Ｓ１３７）。本ステップは、ステップＳ１３６と連動している。すなわち、駐車終了情報受信部１３６が、駐車終了情報とこれに対応するＩＤを受信した場合、決済情報生成部１３７は、当該ＩＤをクエリとして記憶部１３０を検索し、当該ＩＤに紐付いた予約情報、駐車開始情報、割引情報、駐車終了情報を抽出する。決済情報生成部１３７は、抽出した駐車開始情報と抽出した駐車終了情報のタイムスタンプの差分から駐車時間を割り出す。決済情報生成部１３７は、駐車時間を割り出す際に、必要に応じて端数の切り上げ処理、切り捨て処理を行ってもよい。例えば駐車の最小単位を１０分単位とした場合、１０分に満たない端数の時間については、切り上げ処理、切り捨て処理を行ってもよい。
【００６０】
決済情報生成部１３７は、割り出した駐車時間に基づいて駐車料金を算出する。決済情報生成部１３７は、抽出した割引情報を対応する店舗端末１２ごとに区分けして、区分けされた割引情報に該当する金額を、対応する店舗端末１２のそれぞれに請求する旨の情報を生成する。
【００６１】
また、決済情報生成部１３７は、抽出した駐車終了情報に対応する店舗端末１２に対して、算出した駐車料金から他の店舗端末１２に請求する額を除いた残余の額を請求する旨の情報を生成する。このように生成された情報を決済情報と呼ぶ。
【００６２】
決済情報生成部１３７は、駐車料金を算出する際に予約料金を含めてもよい。車室の予約が行われたものの、実際には駐車が行われなかった場合（車室利用がキャンセルされた場合）、駐車終了情報受信部１３６は、店舗端末１２から駐車終了情報を受信し（Ｓ１３６）、決済情報生成部１３７は、予約料金のみを含む駐車料金を算出してもよい（Ｓ１３７）。
【００６３】
［決済情報送信部１３８］
決済情報送信部１３８は、決済情報を店舗端末１２に送信する。（Ｓ１３８）。決済情報送信部１３８は、送信した決済情報を記憶部１３０に記憶する。
【００６４】
［決済実行部１３９］
決済実行部１３９は、店舗端末１２の決済実行部１２８と連動して、決済情報に従って決済を実行する（Ｓ１３９）。決済実行部１３９は、決済の実行結果などを記憶部１３０に記憶する。
【００６５】
≪動作例≫
以下、３台の店舗端末１２−１（美容室）、店舗端末１２−２（レストラン）、店舗端末１２−３（書店）が下表に示す情報の送信動作を担当した場合の動作例を、図７、図８、図９、図１０を参照して説明する。
【００６６】
【表２】
2019079286.tif 000004
【００６７】
図７に示すように、美容室に対応する店舗端末１２−１は、利用者９のために予約情報を送信する（Ｓ１２１）。パーキングシェアサーバ１３は、予約情報を受信して（Ｓ１３１）、対応するＩＤを生成し（Ｓ１３２）、対応するＩＤを店舗端末１２−１（美容室）に送信する（Ｓ１３３）。店舗端末１２−１（美容室）は、対応するＩＤを受信し（Ｓ１２２）、来店した利用者９に、当該ＩＤを出力する（Ｓ１２３）。
【００６８】
利用者９が駐車開始を申告した場合、店舗端末１２−１（美容室）は、駐車開始情報を、利用者９を紐づけるＩＤと共に送信する（Ｓ１２４）。パーキングシェアサーバ１３は、駐車開始情報とＩＤを受信する（Ｓ１３４）。
【００６９】
利用者９または従業員８は会計時に、ＩＤ記録媒体１１を店舗端末１２−１（美容室）に読み込ませる。このとき店舗端末１２−１（美容室）は、施術料金などに基づいて生成された割引情報を、利用者９を紐づけるＩＤと共にパーキングシェアサーバ１３に送信する（Ｓ１２５）。ここでは、例えば駐車場の駐車料金１時間分に相当する料金（例えば５００円）が割引情報として生成され、送信される。パーキングシェアサーバ１３は、割引情報とＩＤを受信する（Ｓ１３５）。
【００７０】
この後、利用者９は美容室を後にし、店舗端末１２−２に対応するレストランに来店したものとする。利用者９または従業員８はレストランでの会計時に、ＩＤ記録媒体１１を店舗端末１２−２（レストラン）に読み込ませる。図８に示すように、店舗端末１２−２（レストラン）は、利用者９の飲食代金などに基づいて生成された割引情報を、利用者９を紐づけるＩＤと共にパーキングシェアサーバ１３に送信する（Ｓ１２５）。ここでは、例えば飲食代金（例えば１５００円）の１０％に相当する料金（例えば１５０円）が割引情報として生成され、送信される。パーキングシェアサーバ１３は、割引情報とＩＤを受信する（Ｓ１３５）。
【００７１】
この後、利用者９はレストランを後にし、店舗端末１２−３に対応する書店に来店したものとする。この例では、利用者９は書店で書籍を購入せず、従業員８にこの後まもなく出庫する旨を伝えたものとする。利用者９または従業員８はＩＤ記録媒体１１を店舗端末１２−３（書店）に読み込ませる。図９に示すように、店舗端末１２−３（書店）は駐車終了情報を、利用者９を紐づけるＩＤと共にパーキングシェアサーバ１３に送信する（Ｓ１２６）。パーキングシェアサーバ１３は、駐車終了情報とＩＤを受信して（Ｓ１３６）、決済情報を生成する（Ｓ１３７）。
【００７２】
図１０に示すように、パーキングシェアサーバ１３は、店舗端末１２−１（美容室）、店舗端末１２−２（レストラン）、および店舗端末１２−３（書店）に決済情報を送信する（Ｓ１３８）。店舗端末１２−１（美容室）、店舗端末１２−２（レストラン）、および店舗端末１２−３（書店）は、決済情報を受信する（Ｓ１２７）。各装置は、決済情報に従って決済処理を実行する（Ｓ１２８、Ｓ１３９）。
【００７３】
本実施例のパーキングシェアシステム１によれば、利用者９とパーキングシェアサーバ１３の間に店舗端末１２を適宜介在させて、手続きの代行、駐車料金の割引などを実行させるため、利用者９は簡単な手続きで駐車場シェアリング・サービスを利用できる。これにより、顧客に利用させるための自前の駐車場を所有していない店舗などにおいて、来店客が増加する可能性がある。
【００７４】
［変形例１］
以下、変形例１のパーキングシェアシステム１ａについて説明する。本変形例のパーキングシェアシステム１ａは、実施例１と同様のＩＤ記録媒体１１、店舗端末１２、パーキングシェアサーバ１３に加え、新たに仲介サーバ１４、店舗予約サーバ１５を含む。本変形例は、車室の予約情報がパーキングシェアサーバ１３に送信される際に、併せて店舗の予約情報が店舗予約サーバ１５に送信されるように構成することを特徴とする。なお、車室の予約情報は以下、予約情報（車室）と呼称し、店舗の予約情報は以下、予約情報（店舗）と呼称する。
【００７５】
仲介サーバ１４は、店舗の予約と駐車場シェアリング・サービスに供された車室の予約とを同時に行うことができるＷＥＢサービスを提供する。店舗端末１２（ＩＤ記録媒体１１）は、実施例１と同様の予約情報（車室）に加え、予約情報（店舗）を仲介サーバ１４に送信する。仲介サーバ１４は、予約情報（車室）をパーキングシェアサーバ１３に送信して、実施例１と同様のＩＤ（ＩＤ（車室）と呼称する）を受信する。また仲介サーバ１４は、予約情報（店舗）を店舗予約サーバ１５に送信し、店舗の予約に対応するＩＤ（ＩＤ（店舗）と呼称する）を受信する。仲介サーバ１４は、受信したＩＤ（車室）、ＩＤ（店舗）を店舗端末１２（ＩＤ記録媒体１１）に送信する。ＩＤ（車室）に関する店舗端末１２（ＩＤ記録媒体１１）の動作は、実施例１と同様である。ＩＤ（店舗）に関する店舗端末１２（ＩＤ記録媒体１１）の動作は、従来の、ヘアサロン予約サイトやグルメ・レストランネット予約サイトなどと同様であるため、割愛する。
【００７６】
変形例１のパーキングシェアシステム１ａによれば、仲介サーバ１４により、駐車場シェアリング・サービスに供された車室の予約と店舗の予約を連動させたため、従業員８、利用者９の利便性がさらに向上する。
【００７７】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００７８】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００７９】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００８０】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００８１】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００８２】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００８３】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００８４】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００８５】
また、この形態では、コンピュータ上で所定のプログラムを実行させることにより、ハードウェアエンティティを構成することとしたが、これらの処理内容の少なくとも一部をハードウェア的に実現することとしてもよい。
【００８６】
なお、明細書、特許請求の範囲に記載された各ステップは各種の情報を生成する方法の各ステップに該当する。ここでいう各種の情報は特許法第二条第四項に規定するプログラム等（プログラム…その他電子計算機による処理の用に供する情報であってプログラムに準ずるもの）に該当するため、ここでいう各種の情報は、特許法第二条第三項第一号に規定する物に該当する。従って、明細書、特許請求の範囲に記載された各種の情報を生成する方法はすなわち、特許法第二条第三項第三号に規定する物を生産する方法に該当することはいうまでもない。
【図１】
2019079286.tif 000005
【図２】
2019079286.tif 000006
【図３】
2019079286.tif 000007
【図４】
2019079286.tif 000008
【図５】
2019079286.tif 000009
【図６】
2019079286.tif 000010
【図７】
2019079286.tif 000011
【図８】
2019079286.tif 000012
【図９】
2019079286.tif 000013
【図１０】
2019079286.tif 000014
【図１１】
2019079286.tif 000015